(57)【要約】【課題】  用紙の両面に印刷出力を行う場合、断裁後の出力用紙束をユーザの任意の重ね方で重ねても、原稿ページ順の出力物を得ることが出来る画像形成装置、画像複製システム、画像複製方法、及びプログラムを提供する。【解決手段】原稿枚数Ｎからなる原稿データからダブルコピー処理により出力部数Ｌ分を用紙に印刷するための出力用画像データの印刷を両面印刷で行うことが設定され、且つ原稿枚数Ｎが偶数である場合、ダブルコピー処理後の用紙の断裁後に設定された重ね方をした場合の出力物が原稿ページ順に並ぶように、出力部数Ｌが偶数のときに第１の画像データを出力用画像データとして形成し、出力部数Ｌが奇数であり且つ原稿枚数Ｎを２で割った値が偶数のときに第２の画像データを出力用画像データとして形成し、出力部数Ｌが奇数であり且つ原稿枚数Ｎを２で割った値が奇数のときに第３の画像データを出力用画像データとして形成する。【選択図】  図９
2017208646.tif 000002
【特許請求の範囲】
【請求項１】
原稿枚数Ｎからなる原稿データからダブルコピー処理により出力部数Ｌ分を用紙に印刷するための出力用画像データを形成する画像形成手段と、
前記ダブルコピー処理後の用紙を前記原稿データのページ毎に断裁した後の重ね方を設定する第１の設定手段と、
前記出力用画像データの印刷を両面印刷で行うか片面印刷で行うかを設定する第２の設定手段と、
前記原稿枚数Ｎが偶数か奇数を判定する判定手段と
を備え、
前記第２の設定手段により前記両面印刷が設定され、且つ前記判定手段により前記原稿枚数Ｎが偶数であると判定された場合、前記画像形成手段は、前記出力用画像データとして、前記断裁後、前記第１の設定手段により設定された重ね方をした場合に、出力物が原稿ページ順に並ぶように、
前記出力部数Ｌが偶数のときに第１の画像データを形成し、
前記出力部数Ｌが奇数であり且つ前記原稿枚数Ｎを２で割った値が偶数のときに第２の画像データを形成し、
前記出力部数Ｌが奇数であり且つ前記原稿枚数Ｎを２で割った値が奇数のときに第３の画像データを形成することを特徴とする画像形成装置。
【請求項２】
前記画像形成手段は、前記第１、第２の画像データを出力する場合、前記断裁後の用紙の枚数を前記原稿枚数Ｎを前記出力部数Ｌで乗じた値を２で割った値に設定することを特徴とする請求項１記載の画像形成装置。
【請求項３】
前記画像形成手段は、前記設定手段により前記両面印刷が設定され、且つ前記判定手段により、前記原稿枚数Ｎが奇数であると判定された場合、前記原稿データの最後尾に１ページ分の白紙データを追加して、前記原稿枚数Ｎを偶数とすることを特徴とする請求項１又は２記載の画像形成装置。
【請求項４】
前記出力用画像データに基づき前記用紙への印刷を行う印刷手段と、
前記用紙を前記原稿データのページ毎に断裁し、２つの出力用紙束を作成する断裁手段とをさらに備えることを特徴とする請求項１乃至３のいずれか１項に記載の画像形成装置。
【請求項５】
前記出力用画像データに基づき前記用紙への印刷を行う印刷手段、及び前記用紙を前記原稿データのページ毎に断裁し、２つの出力用紙束を作成する断裁手段とを備える印刷装置に、前記出力用画像データを送信する送信手段をさらに備えることを特徴とする請求項１乃至３のいずれか１項に記載の画像形成装置。
【請求項６】
前記送信手段は、クラウドを介して前記印刷装置に前記出力用画像データを送信することを特徴とする請求項５記載の画像形成装置。
【請求項７】
前記第１の設定手段により設定される重ね方は、見開き重ねであることを特徴とする請求項４乃至６のいずれか１項に記載の画像形成装置。
【請求項８】
前記第３の画像データの前記用紙の最初の１枚には、前記断裁後の一方の出力用紙束の側の画像データとして、両面ともに前記原稿データを形成し、前記断裁後の他方の出力用紙束の側の画像データとして、両面ともに白紙データを形成することを特徴とする請求項７記載の画像形成装置。
【請求項９】
前記第１の設定手段により設定される重ね方は、上重ね処理であることを特徴とする請求項４乃至６のいずれか１項に記載の画像形成装置。
【請求項１０】
前記第３の画像データの前記用紙の最後の１枚には、前記断裁後の一方の出力用紙束の側の画像データとして、両面ともに前記原稿データを形成し、前記断裁後の他方の出力用紙束の側の画像データとして、両面ともに白紙データを形成することを特徴とする請求項９記載の画像形成装置。
【請求項１１】
前記設定手段により前記片面印刷が設定された場合、前記出力用画像データに基づく印刷物に対し、前記断裁後に上重ね処理が行われる請求項１乃至１０のいずれか１項に記載の画像形成装置。
【請求項１２】
請求項６記載の前記画像形成装置、前記印刷装置、及び前記クラウドを備えることを特徴とする画像複製システム。
【請求項１３】
原稿枚数Ｎからなる原稿データからダブルコピー処理により出力部数Ｌ分を用紙に印刷するための出力用画像データを形成する画像形成手段と、
前記ダブルコピー処理後の用紙を前記原稿データのページ毎に断裁した後の重ね方を設定する第１の設定手段と、
前記出力用画像データの印刷を両面印刷で行うか片面印刷で行うかを設定する第２の設定手段と、
前記原稿枚数Ｎが偶数か奇数を判定する判定手段と
を備える画像形成装置の画像複製方法であって、
前記第２の設定手段により前記両面印刷が設定され、且つ前記判定手段により前記原稿枚数Ｎが偶数であると判定された場合、前記画像形成手段により、前記出力用画像データとして、前記断裁後、前記第１の設定手段により設定された重ね方をした場合に、出力物が原稿ページ順に並ぶように、
前記出力部数Ｌが偶数のときに第１の画像データを形成する第１の形成ステップと、
前記出力部数Ｌが奇数であり且つ前記原稿枚数Ｎを２で割った値が偶数のときに第２の画像データを形成する第２の形成ステップと、
前記出力部数Ｌが奇数であり且つ前記原稿枚数Ｎを２で割った値が奇数のときに第３の画像データを形成する第３の形成ステップとを有することを特徴とする画像複製方法。
【請求項１４】
原稿枚数Ｎからなる原稿データからダブルコピー処理により出力部数Ｌ分を用紙に印刷するための出力用画像データを形成する画像形成手段と、前記ダブルコピー処理後の用紙を前記原稿データのページ毎に断裁した後の重ね方を設定する第１の設定手段と、前記出力用画像データの印刷を両面印刷で行うか片面印刷で行うかを設定する第２の設定手段と、前記原稿枚数Ｎが偶数か奇数を判定する判定手段とを備える画像形成装置の画像複製方法をコンピュータに実行させるためのプログラムであって、
前記画像複製方法は、
前記第２の設定手段により前記両面印刷が設定され、且つ前記判定手段により前記原稿枚数Ｎが偶数であると判定された場合、前記画像形成手段により、前記出力用画像データとして、前記断裁後、前記第１の設定手段により設定された重ね方をした場合に、出力物が原稿ページ順に並ぶように、
前記出力部数Ｌが偶数のときに第１の画像データを形成する第１の形成ステップと、
前記出力部数Ｌが奇数であり且つ前記原稿枚数Ｎを２で割った値が偶数のときに第２の画像データを形成する第２の形成ステップと、
前記出力部数Ｌが奇数であり且つ前記原稿枚数Ｎを２で割った値が奇数のときに第３の画像データを形成する第３の形成ステップとを有することを特徴とするプログラム。
【発明の詳細な説明】
【技術分野】
【０００１】
本願発明は、原稿を１枚の用紙の中に複数枚コピーするダブルコピーの機能を有する画像形成装置、画像複製システム、画像複製方法、及びプログラムに関するものである。
【背景技術】
【０００２】
原稿を１枚の用紙の中に複数枚コピーするダブルコピーの機能がある。このダブルコピーの機能と断裁装置はセットで使用され、ダブルコピーで得た印刷物を断裁装置でページ毎に断裁することで所望の部数分、原稿のコピーを得ることができる。例えば、ユーザが１ページからなる原稿の１０部のコピーを求めているのであれば、ダブルコピーの機能を用いて、用紙一枚につき、その片面に２部のコピーを行う出力設定を行えばよい。この設定でコピー処理を行うと、用紙に原稿の２部のコピーがされた５枚の印刷物を得ることができる。この５部の印刷物を断裁装置にかけて、ページ毎に断裁することで、原稿のコピーを１０部分得ることができる。
【０００３】
一方、ダブルコピー機能を用いて複数ページからなる原稿のコピーを複数部得る場合に、断裁後の重ね合わせ作業にユーザの手間を煩わせることなく単純明快とする従来技術が知られている。具体的には、ダブルコピーした出力物を断裁後、得られた２つの出力用紙束のうち一番上のページが原稿の１ページ目である用紙束の下に他方の用紙束を重ねたとき、原稿がページ順に並ぶように印刷時に原稿データを並べ替える技術である（特許文献１参照）。
【先行技術文献】
【特許文献】
【０００４】
【特許文献１】特開２００２−２８１２７８号公報
【発明の概要】
【発明が解決しようとする課題】
【０００５】
しかしながら、上記従来技術は用紙の片面にのみ印刷出力を行う場合の技術である。従って、用紙の両面に印刷出力を行ったときに、断裁後の出力用紙束を上重ねした場合や、断裁後の出力用紙束を、本を閉じるように見開きページ同士を合わせる重ね方をした場合は、原稿ページ順に並ばず、ユーザの手間を煩わせるという課題が生じる。
【０００６】
本願発明の目的は、用紙の両面に印刷出力を行う場合、断裁後の出力用紙束をユーザの任意の重ね方で重ねても、原稿ページ順の出力物を得ることが出来る画像形成装置、画像複製システム、画像複製方法、及びプログラムを提供することを目的とする。
【課題を解決するための手段】
【０００７】
本願発明の画像形成装置は、原稿枚数Ｎからなる原稿データからダブルコピー処理により出力部数Ｌ分を用紙に印刷するための出力用画像データを形成する画像形成手段と、前記ダブルコピー処理後の用紙を前記原稿データのページ毎に断裁した後の重ね方を設定する第１の設定手段と、前記出力用画像データの印刷を両面印刷で行うか片面印刷で行うかを設定する第２の設定手段と、前記原稿枚数Ｎが偶数か奇数を判定する判定手段とを備え、前記第２の設定手段により前記両面印刷が設定され、且つ前記判定手段により前記原稿枚数Ｎが偶数であると判定された場合、前記画像形成手段は、前記出力用画像データとして、前記断裁後、前記第１の設定手段により設定された重ね方をした場合に、出力物が原稿ページ順に並ぶように、前記出力部数Ｌが偶数のときに第１の画像データを形成し、前記出力部数Ｌが奇数であり且つ前記原稿枚数Ｎを２で割った値が偶数のときに第２の画像データを形成し、前記出力部数Ｌが奇数であり且つ前記原稿枚数Ｎを２で割った値が奇数のときに第３の画像データを形成することを特徴とする。
【発明の効果】
【０００８】
本願発明によれば、用紙の両面に印刷出力を行う場合、断裁後の出力用紙束をユーザの任意の重ね方で重ねても、原稿ページ順の出力物を得ることが出来る。
【図面の簡単な説明】
【０００９】
【図１】本願発明の画像形成装置としてのＭＦＰのハードウェア構成を示す図である。
【図２】図１における操作部の構成を示す図である。
【図３】本実施例におけるＭＦＰによるコピー処理の手順を示すフローチャートである。
【図４】本実施例におけるダブルコピー処理の手順を示すフローチャートである。
【図５】本実施例における見開き重ねダブルコピー処理の手順を示すフローチャートである。
【図６】見開き重ねを行う場合の原稿偶数枚ダブルコピー処理を行ったときの第１の出力例である。
【図７】見開き重ねを行う場合の原稿偶数枚ダブルコピー処理を行ったときの第２の出力例である。
【図８】見開き重ねを行う場合の原稿偶数枚ダブルコピー処理を行ったときの第３の出力例である。
【図９】図５におけるステップＳ５０２の処理の詳細な手順を示すフローチャートである。
【図１０】見開き重ねを行う場合の原稿奇数枚ダブルコピー処理を行ったときの第１の出力例である。
【図１１】見開き重ねを行う場合の原稿奇数枚ダブルコピー処理を行ったときの第２の出力例である。
【図１２】見開き重ねを行う場合の原稿奇数枚ダブルコピー処理を行ったときの第３の出力例である。
【図１３】図５におけるステップＳ５０３の処理の詳細な手順を示すフローチャートである。
【図１４】本実施例における上重ねダブルコピー処理の手順を示すフローチャートである。
【図１５】上重ねを行う場合の原稿偶数枚ダブルコピー処理を行ったときの第１の出力例である。
【図１６】上重ねを行う場合の原稿偶数枚ダブルコピー処理を行ったときの第２の出力例である。
【図１７】上重ねを行う場合の原稿偶数枚ダブルコピー処理を行ったときの第３の出力例である。
【図１８】図１４におけるステップＳ１４０２の処理の詳細な手順を示すフローチャートである。
【図１９】上重ねを行う場合の原稿奇数枚ダブルコピー処理を行ったときの第１の出力例である。
【図２０】上重ねを行う場合の原稿奇数枚ダブルコピー処理を行ったときの第２の出力例である。
【図２１】上重ねを行う場合の原稿奇数枚ダブルコピー処理を行ったときの第３の出力例である。
【図２２】図１４におけるステップＳ１４０３の処理の詳細な手順を示すフローチャートである。
【図２３】図３のステップＳ３０１のコピー設定受付の際にダブルコピー印刷設定を行うための画面の一例を示す。
【図２４】ダブルコピー印刷の詳細設定する際、操作部の液晶表示部に表示される画面の一例を示す。
【発明を実施するための形態】
【００１０】
以下、本願発明を実施するための最良の形態について図面を用いて説明する。なお、以下の実施の形態は特許請求の範囲に係る発明を限定するものでなく、また実施の形態で説明されている特徴の組み合わせの全てが発明の解決手段に必須のものとは限らない。
【００１１】
図１は、本願発明の画像形成装置としてのＭＦＰ１００のハードウェア構成を示す図である。
【００１２】
図１において、ＭＦＰ１００の内部では、ＣＰＵ１０１がバス１１４を介して、メモリ１０２、ＤＩＳＫ１０３、及びＲＯＭ１０４が接続されている。また、通信部ＩＦ１０５を介してネットワーク１１３が、スキャナＩＦ１０９を介して、読取部１１０が接続されている。さらに、プリンタＩＦ１０６を介して、印刷部１０７、及びカセット部１０８が、操作部ＩＦ１１１を介して、操作部１１２が接続されている。各種プログラム及びデータは、ハードディスクやフロッピーディスク等のＤＩＳＫ１０３（記憶媒体）に記憶されており、必要に応じて順次メモリ１０２に読み出されてＣＰＵ１０１で実行される。このＤＩＳＫ１０３は、ＭＦＰ１００に着脱可能であってもＭＦＰ１００に内蔵されたものでも良い。更に、プログラムは、ネットワーク１１３を介して不図示の他のＭＦＰからダウンロードされてＤＩＳＫ１０３に記憶される構成でも良い。また、メモリにはＳＲＡＭのような不揮発メモリ、ＤＲＡＭのような揮発メモリがあるが、メモリ１０２は双方の機能をそなえていても良いし、揮発メモリの機能をメモリ１０２が受け持ち、不揮発メモリの機能をＤＩＳＫ１０３が受け持つ構成でもよい。またメモリ１０２は取り外し可能なメモリメディアでも良い。ＣＰＵ１０１が操作部１１２にデータを書き込むことにより表示を行い、ＣＰＵ１０１がタッチパネルになっている操作部１１２からデータを読み出すことにより、ユーザからの指示を入力する。入力された情報はＣＰＵ１０１、メモリ１０２、ＤＩＳＫ１０３のいずれかに転送、蓄積され、様々な処理に使用される。また、バス１１４には、通信部ＩＦ１０５を介してネットワークが接続されている。ＣＰＵ１０１が通信部ＩＦ１０５からデータを読み込みまたは書き込むことにより通信部ＩＦ１０５を使用した通信を行う。更に、バス１１４には、プリンタＩＦ１０６、スキャナＩＦ１０９が接続されている。プリンタＩＦ１０６は、印刷部１０７に接続するＩＦであり、印刷部１０７には、カセット部１０８が接続している。スキャナＩＦ１０９は、読取部１１０に接続するＩＦである。ＣＰＵ１０１がこれらのＩＦを介して各エンジンへデータの読み書きを行うことによりプリント・スキャンなどのエンジン動作および各種ステータス取得を行う。画像データは読取部１１０もしくは通信部ＩＦ１０５からＭＦＰ１００内のメモリ１０２、ＤＩＳＫ１０３に保存することが可能である。また、取り外し可能なメモリ１０２に予め画像データを蓄積しておき、そのメモリをＭＦＰ１００に取り付けることによって取り込むことも可能である。ＤＩＳＫ１０３に蓄積されている画像データはメモリ１０２に移動もしくはコピーすることが可能になっており、操作部１１２から指示された内容によってメモリ上の画像データに様々な付加画像を合成することができる。なお、プリンタＩＦ１０６、スキャナＩＦ１０９に接続される印刷部１０７、読取部１１０は、ＭＦＰ１００の内部ではなく、ネットワーク１１３上にそれぞれ単体の周辺機器として存在し、それをＭＦＰ１００が制御しても良い。
【００１３】
また、ＭＦＰ１００には、ダブルコピーで得た出力物をページ毎に断裁し、２つの出力用紙束を作成する断裁装置が接続されている。
【００１４】
図２は、図１における操作部１１２の構成を示す図である。
【００１５】
図２において、液晶表示部２０１は、液晶上にタッチパネルシートが貼られており、システムの操作画面およびソフトキーを表示するとともに、表示してあるキーが押されるとその位置情報をＣＰＵ１０１に伝える。スタートキー２０２は原稿画像の読み取り動作を開始する時などに用いる。スタートキー２０２の中央部には、緑と赤の２色ＬＥＤ２０３があり、その色によってスタートキー２０２が使える状態にあるかどうかを示す。ストップキー２０４は稼働中の動作を止める働きをする。テンキー２０５は、数字と文字のボタン郡で構成されており、コピー部数の設定や、液晶表示部２０１の画面切り替えを指示する。ユーザモードキー２０６は機器設定を行う時に押下する。
【００１６】
図３は、本実施例におけるＭＦＰ１００によるコピー処理の手順を示すフローチャートである。なお、図中のステップＳ３０１〜ステップＳ３０５は当該動作の各ステップを表す。各ステップの処理及びそのフローは、ＭＦＰ１００内のＣＰＵ１０１上で動作するアプリケーションプログラムによって実行される。以下に、図３のフローチャートの詳細を記載する。
【００１７】
操作部１１２がユーザからのコピー処理設定の入力を受け付けると本フローが開始される。本フローが開始されると、ステップＳ３０１で操作部１１２からユーザがコピーの設定を入力するコピー設定受付を行う。ステップＳ３０１でコピー設定受付が完了したら、ステップＳ３０２で、操作部１１２からコピー処理を行うためにスタートキー２０２を押下されたか判断する。ステップＳ３０２でスタートキー２０２が押下されたと判断されない限り、コピー処理は開始せず、コピーの設定入力を継続する。ステップＳ３０２で、操作部１１２からスタートキー２０２が押下されたと判断した場合、ステップＳ３０３で、コピー処理がダブルコピーであるか通常のコピーであるかを判断する。ステップＳ３０３で通常のコピーと判断された場合は、ステップＳ３０４でコピー処理を行い、ステップＳ３０４でコピー処理が終了したら、本フローを終了する。ステップＳ３０３で、ダブルコピーと判断された場合は、ステップＳ３０５でダブルコピー処理を行った後、本フローを終了する。
【００１８】
ダブルコピー機能を利用すると、原稿を原稿と同じサイズのシートにコピーする場合に比べて、印刷にかかるコストを削減することができる。また、１枚のシートに対する一連の印刷処理（シートの搬送、画像形成、トレイへの排出）で２つの印刷物を得ることができる。従って、原稿を原稿と同じサイズのシートにコピーする場合に比べて、搬送時にシート間を空ける必要がない分、複数枚の印刷にかかる時間を削減することができる。
【００１９】
次に図４を用いて、本実施例において、ＭＦＰ１００による断裁後の重ね方をユーザが指定した場合に原稿ページ順に並ぶダブルコピー処理の説明を行う。各ステップの処理及びそのフローは、ＭＦＰ１００内のＣＰＵ１０１上で動作するアプリケーションプログラムによって実行される。本実施例では指定出来る重ね方は本を閉じるように見開きページ同士を重ねる場合（見開き重ね）と片方の出力用紙束をもう片方の出力用紙束の上にそのまま重ねる場合（上重ね）の２種類があるとする。
【００２０】
本を閉じるように見開きページ同士を重ねる見開き重ねの場合、裁断後の一方の用紙束の第１面（例えば、表面）と、裁断後の他方の用紙束の第２面（例えば、裏面）を重ね合わせることになる。
【００２１】
ここで、片面印刷のダブルコピーが設定された場合に見開き重ねを行おうとすると、裁断後に得られる出力物は、片面に印刷がなされた出力物になるにも関わらず、シートの両面に印刷を行う必要がある。シートの両面に印刷を行う場合、シートの片面に印刷を行う場合に比べて、印刷にかかる時間が長くなるため、適さない。
【００２２】
一方、上重ねの場合は、裁断後の片方の出力用紙束を裁断後の他方の出力用紙束の上にそのまま重ねるため用紙束の同じ面を重ね合わせることになる。両面印刷を行わずに裁断後の出力物のレイアウトを揃えることができるので、片面印刷のダブルコピーが設定された場合重ね方として適している。
【００２３】
従って、本実施形態では、片面印刷のダブルコピーが設定された場合の裁断後の重ね方は上重ねとなるように印刷を制御する。
【００２４】
図４は、本実施例におけるダブルコピー処理の手順を示すフローチャートである。
【００２５】
まずステップＳ４０１で、ＣＰＵ１０１は原稿枚数Ｎを初期化する。
【００２６】
ステップＳ４０２で、読取部１１０は読取部１１０で原稿の読み取りを行う。
【００２７】
ステップＳ４０３で、ＣＰＵ１０１は原稿枚数Ｎに１加える。
【００２８】
ステップＳ４０４で、ＣＰＵ１０１は原稿を全て読み込んだか判定する。ステップＳ４０４での判定の結果、原稿を全て読み込んだと判断された場合、ステップＳ４０５へ進む。一方、ステップＳ４０４で原稿を全て読み込んでいないと判断された場合は、ステップＳ４０２へ進む。
【００２９】
ステップＳ４０５でＣＰＵ１０１は操作部１１２で設定された出力部数Ｌを取得する。
【００３０】
本実施例ではユーザから操作部１１２で設定される出力部数Ｌを断裁後のユーザが得たい出力物の部数として扱う。しかし、操作部１１２の設定を通常印刷時の部数設定と同じように扱っても良い。その場合、ＣＰＵ１０１は設定された出力部数Ｌを２倍して処理を行う。
【００３１】
ステップＳ４０６では、ＣＰＵ１０１は、操作部１１２で両面印刷の設定がなされているか否か判定する。両面印刷の設定がなされている場合は、ステップＳ４０６に進み、両面印刷の設定がなされていない場合は、ステップＳ４０７に進む。
【００３２】
ステップＳ４０７で、ＣＰＵ１０１は操作部１１２で見開き重ね設定がなされているか否かを判定する。ステップＳ４０７での判定の結果、見開き重ね設定であると判断された場合、ステップＳ４０８へ進む。一方、ステップＳ４０７で見開き重ね設定でないと判断された場合は、ステップＳ４０９へ進む。
【００３３】
ステップＳ４０８で、ＣＰＵ１０１は図５で後述する見開き重ねダブルコピー処理を行い、本フローを終了する。
【００３４】
ステップＳ４０９で、ＣＰＵ１０１は図１４で後述する上重ねダブルコピー処理を行い、本フローを終了する。
【００３５】
次に図５を用いて、図４のステップＳ４０８における処理、すなわち、断裁後に本を閉じるように見開きページ同士を重ねた場合に原稿ページ順に並ぶダブルコピー処理（見開き重ねダブルコピー処理）の説明を行う。各ステップの処理及びそのフローは、ＭＦＰ１００内のＣＰＵ１０１上で動作するアプリケーションプログラムによって実行される。
【００３６】
図５は、本実施例における見開き重ねダブルコピー処理の手順を示すフローチャートである。
【００３７】
まずステップＳ５０１で、ＣＰＵ１０１は原稿枚数Ｎが偶数であるか判定する。ステップＳ５０１での判定の結果、原稿枚数Ｎが偶数であると判断された場合、ステップＳ５０２へ進む。一方、ステップＳ５０１で原稿枚数Ｎが偶数でないと判断された場合は、ステップＳ５０３へ進む。
【００３８】
ステップＳ５０２で、ＣＰＵ１０１は原稿偶数枚ダブルコピー処理を行い、本フローを終了する。この処理の詳細は図９で後述する。
【００３９】
ステップＳ５０３で、ＣＰＵ１０１は原稿奇数枚ダブルコピー処理を行い、本フローを終了する。この処理の詳細は図１３で後述する。
【００４０】
次に、見開き重ねを行う場合の原稿偶数枚ダブルコピー処理（ステップＳ５０２の処理）を行ったときの出力例について、図６、図７、及び図８を用いて説明を行う。両面設定であるため、印刷データは２枚で１組となる（６０１ａ，６０１ｂ，６０２）。図６に示すように出力部数Ｌが偶数であれば、原稿枚数×出力部数Ｌ分の印刷データを左右の面に半分ずつ配置すれば良い（６０１）。この印刷データを基に出力印刷物をページ毎に断裁し、本を閉じるように見開きページ同士を重ねた場合（６０４，６０５）、出力物は原稿ページ順に並ぶ（６０３、６０６）。出力部数Ｌが奇数である場合、７０２ａに示すように、１部の原稿データが左右面に分かれることになる。そのため、図７に示すように原稿枚数Ｎ÷２が偶数であれば、原稿の半分ずつがちょうど左右面に分かれることになる（７０１，７０２）。一方、図８に示すように原稿枚数Ｎ÷２が奇数の場合、両面設定であるので、１枚分端数が出てしまう。そのため、左面に、１ページ分原稿データをずらす必要があり、左面に＋１ページ（８０３ａ）、右面に−１ページ（８０３ｂ）という状況になるため、印刷データの最初の２枚は左面の原稿データと白紙を合成して印刷する必要がある（８０１、８０２）。
【００４１】
図９は、図５におけるステップＳ５０２の処理の詳細な手順を示すフローチャートである。
【００４２】
まずステップＳ９０１で、ＣＰＵ１０１は左面カウンタＭを１で初期化する。
【００４３】
ステップＳ９０２で、ＣＰＵ１０１は右面カウンタＰを原稿枚数Ｎで初期化する。
【００４４】
ステップＳ９０３で、ＣＰＵ１０１は出力部数Ｌが偶数か判定する。ステップＳ９０３での判定の結果、出力部数Ｌが偶数と判断された場合、ステップＳ９０９へ進む。一方、ステップＳ９０３で出力部数Ｌが偶数でないと判断された場合は、ステップＳ９０４へ進む。
【００４５】
ステップＳ９０４でＣＰＵ１０１は原稿枚数Ｎ÷２が偶数であるか判定する。ステップＳ９０４での判定の結果、原稿枚数Ｎ÷２が偶数であると判断された場合、ステップＳ９０９へ進む。一方、ステップＳ９０４で原稿枚数Ｎ÷２が偶数でないと判断された場合は、ステップＳ９０５へ進む。
【００４６】
ステップＳ９０５で、ＣＰＵ１０１は出力カウンタＱを（Ｎ×Ｌ＋２）÷２で初期化する。これは、白紙データが２枚分追加になるため、総画像データ数に２を加える必要があるためである。
【００４７】
ステップＳ９０６でＣＰＵ１０１は原稿Ｍ枚目と白紙を合成して印刷を行う。
【００４８】
ステップＳ９０７でＣＰＵ１０１はＭ＝Ｍ＋１、Ｑ＝Ｑ−１の計算を行う。
【００４９】
ステップＳ９０８でＣＰＵ１０１はＭ≦２であるか判定する。ステップＳ９０８での判定の結果、Ｍ≦２であると判断された場合、ステップＳ９０６へ進む。一方、ステップＳ９０８でＭ≦２でないと判断された場合は、ステップＳ９１０へ進む。これにより、図８に示すように、印刷データの最初の２枚を左面の原稿データと白紙を合成して印刷する。
【００５０】
ステップＳ９０９で、ＣＰＵ１０１は出力カウンタＱを（Ｎ×Ｌ）÷２で初期化する。
【００５１】
ステップＳ９１０でＣＰＵ１０１は原稿Ｍ枚目と原稿Ｐ枚目を合成して印刷を行う。
【００５２】
ステップＳ９１１でＣＰＵ１０１はＭ＝Ｍ＋１、Ｐ＝Ｐ−１、Ｑ＝Ｑ−１の計算を行う。
【００５３】
ステップＳ９１２でＣＰＵ１０１はＭ＞Ｎであるか、すなわち、左面において原稿データ１部の出力が完了したか判定する。ステップＳ９１２での判定の結果、Ｍ＞Ｎであると判断された場合、ステップＳ９１３へ進む。一方、ステップＳ９１２でＭ＞Ｎでないと判断された場合は、ステップＳ９１４へ進む。
【００５４】
ステップＳ９１３でＣＰＵ１０１はＭ＝１の代入を行う。
【００５５】
ステップＳ９１４でＣＰＵ１０１はＰ≦０であるか、すなわち、右面において原稿データ１部の出力が完了したか判定する。ステップＳ９１４での判定の結果、Ｐ≦０であると判断された場合、ステップＳ９１５へ進む。一方、ステップＳ９１４でＰ≦０でないと判断された場合は、ステップＳ９１６へ進む。
【００５６】
ステップＳ９１５でＣＰＵ１０１はＰ＝Ｎの代入を行う。
【００５７】
ステップＳ９１６でＣＰＵ１０１はＱ≦１であるか判定する。ステップＳ９１６での判定の結果、Ｑ≦１であると判断された場合、本フローを終了する。一方、ステップＳ９１６でＱ≦１でないと判断された場合は、ステップＳ９１０へ進む。
【００５８】
次に見開き重ねを行う場合の原稿奇数枚ダブルコピー処理（ステップＳ５０３の処理）を行ったときの出力例について、図１０、図１１、及び図１２を用いて説明を行う。両面設定であるため、印刷データは２枚で１組となる。そのため、原稿データ数は偶数である必要がある。そこで、原稿データの最終ページに白紙ページを追加して処理を行う（１００１、１００２、１００３、１００４、１１０１、１１０２、１１０３、１２０１、１２０２、１２０３）。白紙を追加することで、原稿データ数は偶数となり、図９を用いて説明した原稿枚数Ｎが偶数のときと同じ処理を行うことが出来る。
【００５９】
図１３は、図５におけるステップＳ５０３の処理の詳細な手順を示すフローチャートである。
【００６０】
まずステップＳ１３０１で、ＣＰＵ１０１は左面カウンタＭを１で初期化する。
【００６１】
ステップＳ１３０２で、ＣＰＵ１０１は原稿データの最後尾に白紙データを追加し、この追加後の原稿枚数ＲとしてＮ＋１を代入する。
【００６２】
ステップＳ１３０３で、ＣＰＵ１０１は右面カウンタＰをＲで初期化する。
【００６３】
ステップＳ１３０４で、ＣＰＵ１０１は出力部数Ｌが偶数か判定する。ステップＳ１３０４での判定の結果、出力部数Ｌが偶数と判断された場合、ステップＳ１３１０へ進む。一方、ステップＳ１３０４で出力部数Ｌが偶数でないと判断された場合は、ステップＳ１３０５へ進む。
【００６４】
ステップＳ１３０５でＣＰＵ１０１はＲ÷２が偶数であるか判定する。ステップＳ１３０５での判定の結果、Ｒ÷２が偶数であると判断された場合、ステップＳ１３１０へ進む。一方、ステップＳ１３０５でＲ÷２が偶数でないと判断された場合は、ステップＳ１３０６へ進む。
【００６５】
ステップＳ１３０６で、ＣＰＵ１０１は出力カウンタＱを（Ｒ×Ｌ＋２）÷２で初期化する。
【００６６】
ステップＳ１３０７でＣＰＵ１０１は原稿Ｍ枚目と白紙を合成して印刷を行う。
【００６７】
ステップＳ１３０８でＣＰＵ１０１はＭ＝Ｍ＋１、Ｑ＝Ｑ−１の計算を行う。
【００６８】
ステップＳ１３０９でＣＰＵ１０１はＭ≦２であるか判定する。ステップＳ１３０９での判定の結果、Ｍ≦２であると判断された場合、ステップＳ１３０７へ進む。一方、ステップＳ１３０９でＭ≦２でないと判断された場合は、ステップＳ１３１１へ進む。
【００６９】
ステップＳ１３１０で、ＣＰＵ１０１は出力カウンタＱを（Ｒ×Ｌ）÷２で初期化する。
【００７０】
ステップＳ１３１１でＣＰＵ１０１は原稿Ｍ枚目と原稿Ｐ枚目を合成して印刷を行う。
【００７１】
ステップＳ１３１２でＣＰＵ１０１はＭ＝Ｍ＋１、Ｐ＝Ｐ−１、Ｑ＝Ｑ−１の計算を行う。
【００７２】
ステップＳ１３１３でＣＰＵ１０１はＭ＞Ｒであるか判定する。ステップＳ１３１３での判定の結果、Ｍ＞Ｒであると判断された場合、ステップＳ１３１４へ進む。一方、ステップＳ１３１３でＭ＞Ｎでないと判断された場合は、ステップＳ１３１５へ進む。
【００７３】
ステップＳ１３１４でＣＰＵ１０１はＭ＝１の代入を行う。
【００７４】
ステップＳ１３１５でＣＰＵ１０１はＰ≦０であるか判定する。ステップＳ１３１５での判定の結果、Ｐ≦０であると判断された場合、ステップＳ１３１６へ進む。一方、ステップＳ１３１５でＰ≦０でないと判断された場合は、ステップＳ１３１７へ進む。
【００７５】
ステップＳ１３１６でＣＰＵ１０１はＰ＝Ｒの代入を行う。
【００７６】
ステップＳ１３１７でＣＰＵ１０１はＱ≦１であるか判定する。ステップＳ１３１７での判定の結果、Ｑ≦１であると判断された場合、本フローを終了する。一方、ステップＳ１３１７でＱ≦１でないと判断された場合は、ステップＳ１３１１へ進む。
【００７７】
以上説明したように、本実施例では、見開き重ね設定時のダブルコピー時に、原稿枚数の偶数、奇数等の条件によって、出力物のレイアウトを変更する。これによって、ユーザは断裁後、本を閉じるように見開きページ同士を重ねた（見開き重ねをした）場合に原稿ページ順に並ぶ出力物を得ることが出来る。
【００７８】
次に、図１４を用いて、図４のステップＳ４０９における処理、すなわち、断裁後に片方の出力用紙束をもう片方の出力用紙束の上にそのまま重ねる場合に原稿ページ順に並ぶダブルコピー処理（上重ねダブルコピー処理）の説明を行う。各ステップの処理及びそのフローは、ＭＦＰ１００内のＣＰＵ１０１上で動作するアプリケーションプログラムによって実行される。
【００７９】
図１４は、本実施例における上重ねダブルコピー処理の手順を示すフローチャートである。
【００８０】
まずステップＳ１４０１で、ＣＰＵ１０１は原稿枚数Ｎが偶数であるか判定する。ステップＳ１４０１での判定の結果、原稿枚数Ｎが偶数であると判断された場合、ステップＳ１４０２へ進む。一方、ステップＳ１４０１で原稿枚数Ｎが偶数でないと判断された場合は、ステップＳ１４０３へ進む。
【００８１】
ステップＳ１４０２で、ＣＰＵ１０１は原稿偶数枚ダブルコピー処理を行い、本フローを終了する。この処理の詳細は図１８で後述する。
【００８２】
ステップＳ１４０３で、ＣＰＵ１０１は原稿奇数枚ダブルコピー処理を行い、本フローを終了する。この処理の詳細は図２２で後述する。
【００８３】
まず、上重ねを行う場合の原稿偶数枚ダブルコピー処理（ステップＳ１４０２の処理）を行ったときの出力例について、図１５、１６、１７を用いて説明を行う。断裁後の片方の束（１５０２）に、もう片方の束（１５０１）を載せて、原稿ページ順に並べる（１５０３）には、原稿を部数分並べたものの中央値から半分ずつを左右の面に割り振れば良い。出力部数Ｌが偶数であれば、左右の数は等しくなる。出力部数Ｌが奇数である場合、ある１部の原稿データが左右面に分かれることになる。そのため、原稿枚数Ｎ÷２が偶数であれば、原稿の半分ずつがちょうど左右面に分かれることになる（１６０１、１６０２）。一方、原稿枚数Ｎ÷２が奇数の場合、両面設定であるので、１枚分端数が出てしまう。そのため、左面に、１ページ分原稿データをずらす（１７０１）必要があり、印刷データの最後の２枚は左面の原稿データと白紙を合成して印刷する必要がある（１７０２）。
【００８４】
図１８は、図１４におけるステップＳ１４０２の処理の詳細な手順を示すフローチャートである。
【００８５】
まずステップＳ１８０１で、ＣＰＵ１０１は左面カウンタＭを１で初期化する。
【００８６】
ステップＳ１８０２で、ＣＰＵ１０１は右面カウンタＰを１で初期化する。
【００８７】
ステップＳ１８０３で、ＣＰＵ１０１は出力部数Ｌが偶数か判定する。ステップＳ１８０３での判定の結果、出力部数Ｌが偶数と判断された場合（図１５のケース）、ステップＳ１８１７へ進む。一方、ステップＳ１８０３で出力部数Ｌが偶数でないと判断された場合（図１６，図１７のケース）は、ステップＳ１８０４へ進む。
【００８８】
ステップＳ１８０４でＣＰＵ１０１は原稿枚数Ｎ÷２が偶数であるか判定する。ステップＳ１８０４での判定の結果、原稿枚数Ｎ÷２が偶数であると判断された場合（図１６のケース）、ステップＳ１８１３へ進む。一方、ステップＳ１８０４で原稿枚数Ｎ÷２が偶数でないと判断された場合（図１７のケース）は、ステップＳ１８０５へ進む。
【００８９】
ステップＳ１８０５で、ＣＰＵ１０１はＰに（Ｎ÷２）＋２を代入する。
【００９０】
ステップＳ１８０６で、ＣＰＵ１０１は出力カウンタＱを（Ｎ×Ｌ＋２）÷２で初期化する。
【００９１】
ステップＳ１８０７でＣＰＵ１０１は原稿Ｍ枚目と原稿Ｐ枚目を合成して印刷を行う。
【００９２】
ステップＳ１８０８でＣＰＵ１０１はＭ＝Ｍ＋１、Ｐ＝Ｐ＋１、Ｑ＝Ｑ−１の計算を行う。
【００９３】
ステップＳ１８０９でＣＰＵ１０１はＭ＞Ｎであるか判定する。ステップＳ１８０９での判定の結果、Ｍ＞Ｎであると判断された場合、ステップＳ１８１４へ進む。一方、ステップＳ１８０９でＭ＞Ｎでないと判断された場合は、ステップＳ１８１０へ進む。
【００９４】
ステップＳ１８１４で、ＣＰＵ１０１はＭ＝１の代入を行う。
【００９５】
ステップＳ１８１０でＣＰＵ１０１はＰ＞Ｎであるか判定する。ステップＳ１８１０の判定の結果、Ｐ＞Ｎであると判断された場合、ステップＳ１８１５へ進む。一方、ステップＳ１８１０でＰ＞Ｎでないと判断された場合は、ステップＳ１８１１へ進む。
【００９６】
ステップＳ１８１５で、ＣＰＵ１０１はＰ＝１の代入を行う。
【００９７】
ステップＳ１８１１でＣＰＵ１０１はＱ≦３であるか判定する。ステップＳ１８１１の判定の結果、Ｑ≦３であると判断された場合、ステップＳ１８１２へ進む。一方、ステップＳ１８１１でＱ≦３でないと判断された場合は、ステップＳ１８０７へ進む。
【００９８】
ステップＳ１８１２でＣＰＵ１０１は原稿Ｍ枚目と白紙を合成して印刷を行う。
【００９９】
ステップＳ１８１６でＣＰＵ１０１はＱ≦１であるか判定する。ステップＳ１８１６の判定の結果、Ｑ≦１であると判断された場合、本フローを終了する。一方、ステップＳ１８１６でＱ≦１でないと判断された場合は、ステップＳ１８０８へ進む。
【０１００】
ステップＳ１８１３で、ＣＰＵ１０１はＰ＝（Ｎ÷２）＋１の代入を行う。
【０１０１】
ステップＳ１８１７で、ＣＰＵ１０１は出力カウンタＱを（Ｎ×Ｌ）÷２で初期化する。
【０１０２】
ステップＳ１８１８でＣＰＵ１０１は原稿Ｍ枚目と原稿Ｐ枚目を合成して印刷を行う。
【０１０３】
ステップＳ１８１９でＣＰＵ１０１はＭ＝Ｍ＋１、Ｐ＝Ｐ＋１、Ｑ＝Ｑ−１の計算を行う。
【０１０４】
ステップＳ１８２０でＣＰＵ１０１はＭ＞Ｎであるか判定する。ステップＳ１８２０での判定の結果、Ｍ＞Ｎであると判断された場合、ステップＳ１８２３へ進む。一方、ステップＳ１８２０でＭ＞Ｎでないと判断された場合は、ステップＳ１８２１へ進む。
【０１０５】
ステップＳ１８２３で、ＣＰＵ１０１はＭ＝１の代入を行う。
【０１０６】
ステップＳ１８２１でＣＰＵ１０１はＰ＞Ｎであるか判定する。ステップＳ１８２１の判定の結果、Ｐ＞Ｎであると判断された場合、ステップＳ１８２４へ進む。一方、ステップＳ１８２１でＰ＞Ｎでないと判断された場合は、ステップＳ１８２２へ進む。
【０１０７】
ステップＳ１８２４で、ＣＰＵ１０１はＰ＝１の代入を行う。
【０１０８】
ステップＳ１８２２でＣＰＵ１０１はＱ≦１であるか判定する。ステップＳ１８２２の判定の結果、Ｑ≦１であると判断された場合、本フローを終了する。一方、ステップＳ１８２２でＱ≦１でないと判断された場合は、ステップＳ１８１８へ進む。
【０１０９】
次に、上重ねを行う場合の原稿奇数枚ダブルコピー処理（ステップＳ１４０３の処理）を行ったときの出力例について、図１９、図２０、及び図２１を用いて説明を行う。両面設定の場合、原稿データ数は偶数である必要がある。そのため、原稿データの最後尾に白紙データを追加して処理を行う（１９０１、１９０２、１９０３、１９０４、２００１、２００２、２００３、２１０１、２１０２、２１０３）。白紙データを追加した状態であれば、原稿が偶数枚の場合と処理は同じになる。
【０１１０】
図２２は、図１４におけるステップＳ１４０３の処理の詳細な手順を示すフローチャートである。
【０１１１】
まずステップＳ２２０１で、ＣＰＵ１０１は左面カウンタＭを１で初期化する。
【０１１２】
ステップＳ２２０２で、ＣＰＵ１０１は右面カウンタＰを１で初期化する。
【０１１３】
ステップＳ２２０３で、ＣＰＵ１０１は原稿データの最後尾に白紙データを追加し、この追加後の原稿枚数ＲとしてＮ＋１を代入する。
【０１１４】
ステップＳ２２０４で、ＣＰＵ１０１は出力部数Ｌが偶数か判定する。ステップＳ２２０４での判定の結果、出力部数Ｌが偶数と判断された場合、ステップＳ２２１８へ進む。一方、ステップＳ２２０４で出力部数Ｌが偶数でないと判断された場合は、ステップＳ２２０５へ進む。
【０１１５】
ステップＳ２２０５でＣＰＵ１０１は原稿枚数Ｒ÷２が偶数であるか判定する。ステップＳ２２０５での判定の結果、原稿枚数Ｒ÷２が偶数であると判断された場合、ステップＳ２２１７へ進む。一方、ステップＳ２２０５で原稿枚数Ｒ÷２が偶数でないと判断された場合は、ステップＳ２２０６へ進む。
【０１１６】
ステップＳ２２０６で、ＣＰＵ１０１はＰに（Ｒ÷２）＋２を代入する。
【０１１７】
ステップＳ２２０７で、ＣＰＵ１０１は出力カウンタＱを（Ｒ×Ｌ＋２）÷２で初期化する。
【０１１８】
ステップＳ２２０８でＣＰＵ１０１は原稿Ｍ枚目と原稿Ｐ枚目を合成して印刷を行う。
【０１１９】
ステップＳ２２０９でＣＰＵ１０１はＭ＝Ｍ＋１、Ｐ＝Ｐ＋１、Ｑ＝Ｑ−１の計算を行う。
【０１２０】
ステップＳ２２１０でＣＰＵ１０１はＭ＞Ｒであるか判定する。ステップＳ２２１０での判定の結果、Ｍ＞Ｒであると判断された場合、ステップＳ２２１４へ進む。一方、ステップＳ２２１０でＭ＞Ｎでないと判断された場合は、ステップＳ２２１１へ進む。
【０１２１】
ステップＳ２２１４で、ＣＰＵ１０１はＭ＝１の代入を行う。
【０１２２】
ステップＳ２２１１でＣＰＵ１０１はＰ＞Ｒであるか判定する。ステップＳ２２１１の判定の結果、Ｐ＞Ｒであると判断された場合、ステップＳ２２１５へ進む。一方、ステップＳ２２１１でＰ＞Ｎでないと判断された場合は、ステップＳ２２１２へ進む。
【０１２３】
ステップＳ２２１５で、ＣＰＵ１０１はＰ＝１の代入を行う。
【０１２４】
ステップＳ２２１２でＣＰＵ１０１はＱ≦３であるか判定する。ステップＳ２２１２の判定の結果、Ｑ≦３であると判断された場合、ステップＳ２２１３へ進む。一方、ステップＳ２２１２でＱ≦３でないと判断された場合は、ステップＳ２２０８へ進む。
【０１２５】
ステップＳ２２１３でＣＰＵ１０１は原稿Ｍ枚目と白紙を合成して印刷を行う。
【０１２６】
ステップＳ２２１６でＣＰＵ１０１はＱ≦１であるか判定する。ステップＳ２２１６の判定の結果、Ｑ≦１であると判断された場合、本フローを終了する。一方、ステップＳ２２１６でＱ≦１でないと判断された場合は、ステップＳ２２０９へ進む。
【０１２７】
ステップＳ２２１７で、ＣＰＵ１０１はＰ＝（Ｒ÷２）＋１の代入を行う。
【０１２８】
ステップＳ２２１８で、ＣＰＵ１０１は出力カウンタＱを（Ｒ×Ｌ）÷２で初期化する。
【０１２９】
ステップＳ２２１９でＣＰＵ１０１は原稿Ｍ枚目と原稿Ｐ枚目を合成して印刷を行う。
【０１３０】
ステップＳ２２２０でＣＰＵ１０１はＭ＝Ｍ＋１、Ｐ＝Ｐ＋１、Ｑ＝Ｑ−１の計算を行う。
【０１３１】
ステップＳ２２２１でＣＰＵ１０１はＭ＞Ｒであるか判定する。ステップＳ２２２１での判定の結果、Ｍ＞Ｒであると判断された場合、ステップＳ２２２４へ進む。一方、ステップＳ２２２１でＭ＞Ｒでないと判断された場合は、ステップＳ２２２２へ進む。
【０１３２】
ステップＳ２２２４で、ＣＰＵ１０１はＭ＝１の代入を行う。
【０１３３】
ステップＳ２２２２でＣＰＵ１０１はＰ＞Ｒであるか判定する。ステップＳ２２２２の判定の結果、Ｐ＞Ｒであると判断された場合、ステップＳ２２２５へ進む。一方、ステップＳ２２２２でＰ＞Ｒでないと判断された場合は、ステップＳ２２２３へ進む。
【０１３４】
ステップＳ２２２５で、ＣＰＵ１０１はＰ＝１の代入を行う。
【０１３５】
ステップＳ２２２３でＣＰＵ１０１はＱ≦１であるか判定する。ステップＳ２２２３の判定の結果、Ｑ≦１であると判断された場合、本フローを終了する。一方、ステップＳ２２２３でＱ≦１でないと判断された場合は、ステップＳ２２１９へ進む。
【０１３６】
以上説明したように、本実施例では、上重ね設定時のダブルコピー時に、原稿枚数の偶数、奇数等の条件によって、出力物のレイアウトを変更する。これによって、ユーザは断裁後、片方の出力用紙束をもう片方の出力用紙束の上にそのまま重ねる（上重ねをした）場合に原稿ページ順に並ぶ出力物を得ることが出来る。
【０１３７】
図２３、及び図２４は、図３のステップＳ３０１のコピー設定受付の際のダブルコピー印刷設定を行うための画面の一例である。これらの画面は操作部１１２の液晶表示部２０１に表示される。
【０１３８】
図２３に示す画面では、印刷設定パネル２３０１には、出力色、変倍率、出力用紙サイズ、出力部数などの印刷設定が表示されている。ダブルコピー設定パネル２３０２は、ユーザがダブルコピーを設定したい場合に押下するためのパネルであり、ダブルコピー設定パネル２３０２を押下すると図２４（ａ）のダブルコピー設定の画面に遷移する。図２４（ａ）のダブルコピー設定の画面において、原稿サイズ設定ボタン２４０２で原稿サイズを選択し、原稿サイズが決定すると出力用紙サイズ設定ボタン２４０３で出力用紙サイズを選択しなくても、決定された原稿サイズに基づき出力用紙サイズが決定する。逆に、出力用紙サイズ設定ボタン２４０３で出力用紙サイズを選択した場合は、原稿サイズ設定ボタン２４０２で原稿サイズを選択しなくても、決定された出力用紙サイズに基づき原稿サイズが決定する。
【０１３９】
原稿サイズ設定ボタン２４０２又は出力用紙サイズ設定ボタン２４０３の操作により、原稿サイズと出力用紙サイズを設定したら、コピー部数設定ボタン２４０１で原稿をコピーしたい部数分入力する。その後、次へボタン２４０５を押下すると図２４（ｂ）の断裁後重ね方設定画面に遷移する。また、設定した原稿サイズ、出力用紙サイズ、及びコピー部数の全ての設定を取り消したい場合は、設定取り消しボタン２４０４を押下すると、図２３の画面に遷移し、ダブルコピーの設定を取り消す。図２４（ｂ）の断裁後重ね方設定画面には、出力物の断裁後の重ね方の概略が表示されている。また、この断裁後重ね方設定画面にある見開き重ねボタン２４０６は、断裁後の出力用紙束同士を、本を閉じるように見開きページ同士を重ねる重ね方に設定するためのボタンである。また、上重ねボタン２４０７は、断裁後の片方の束を、もう片方の束の上にそのまま載せて重ねる重ね方に設定するためのボタンである。見開き重ねボタン２４０６か上重ねボタン２４０７のいずれかを設定し、ＯＫボタン２４０８を押下したら、図２３の画面に遷移し、ダブルコピーの設定を終了する。なお、片面印刷が設定されている場合は、見開き重ねの設定が行えないように画面を制御する。例えば、ＣＰＵ１０１は、片面印刷が設定されている場合は、図２４（ｂ）の見開き重ねボタン２４０６をグレーアウトで表示する。また、例えば、ＣＰＵ１０１は、片面印刷が設定されている場合は、図２４（ａ）の次へボタン２４０５に代えて、完了ボタンを表示し、重ね方の設定をユーザから明示的に受け付けないようにしてもよい。
【０１４０】
また、図２４（ａ），（ｂ）において設定したダブルコピーの設定を取り消したい場合は、設定取り消しボタン２４０９を押下すると、図２３の画面に遷移し、ダブルコピーの設定を取り消す。
【０１４１】
尚、本実施の形態では、ＭＦＰ１００においてダブルコピーの設定、及び設定されたダブルコピー用の画像（出力用画像データ）の形成及びその印刷出力が行われるが、かかる構成に限定されるものではない。例えば、ダブルコピーの設定、及び出力用画像データの形成のみをＭＦＰ１００で行い、ネットワーク１１３を介して接続する不図示の印刷装置に出力用画像データを送信し、その印刷装置にて出力用画像データの印刷出力を行うようにしてもよい。また、出力用画像データをネットワーク１１３を介して印刷装置に直接送信するのではなく、ネットワーク上の中継装置やクラウドを介して印刷装置に送信する画像複製システムに本願発明を適用してもよい。
【０１４２】
また、本実施の形態では、ＭＦＰ１００に断裁装置が接続されていたが、上記のように、ＭＦＰ１００ではなく別の印刷装置がダブルコピー用の出力用画像データの印刷出力を行う場合は、その印刷装置に断裁装置が接続される。
（その他の実施形態）
本願発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【０１４３】
１００  ＭＦＰ
１０１  ＣＰＵ
１０２  メモリ
１０３  ＤＩＳＫ
１０４  ＲＯＭ
１０５  通信部ＩＦ
１０６  プリンタＩＦ
１０７  印刷部
１０８  カセット部
１０９  スキャナＩＦ
１１０  読取部
１１１  操作部ＩＦ
１１２  操作部
１１３  ネットワーク
１１４  バス
【図１】
2017208646.tif 000003
【図２】
2017208646.tif 000004
【図３】
2017208646.tif 000005
【図４】
2017208646.tif 000006
【図５】
2017208646.tif 000007
【図６】
2017208646.tif 000008
【図７】
2017208646.tif 000009
【図８】
2017208646.tif 000010
【図９】
2017208646.tif 000011
【図１０】
2017208646.tif 000012
【図１１】
2017208646.tif 000013
【図１２】
2017208646.tif 000014
【図１３】
2017208646.tif 000015
【図１４】
2017208646.tif 000016
【図１５】
2017208646.tif 000017
【図１６】
2017208646.tif 000018
【図１７】
2017208646.tif 000019
【図１８】
2017208646.tif 000020
【図１９】
2017208646.tif 000021
【図２０】
2017208646.tif 000022
【図２１】
2017208646.tif 000023
【図２２】
2017208646.tif 000024
【図２３】
2017208646.tif 000025
【図２４】
2017208646.tif 000026